(57)【要約】【課題】鍵の複製、ピッキングによる不正解錠が困難で、多数の鍵違いを作成できる錠装置を提供する。【解決手段】操作ピン１４の先端は、鍵本体の幅広部１３ａの外縁から突出しない位置にある。鍵３を鍵穴７に挿入するとき、操作ピン１４は、鍵穴の前方部７ａには接触せず、狭小部７ｃの内面のみに摺接する。操作ピン１４が、最奥部のコードピン孔８ａに合致したとき、ピン操作部１２ａとしての先端部が突出して、コードピン１１ａの先端を押圧する。コードピン１１ａは、ばね１０を圧縮してドライバピン９ａと共に半径方向外側の非ロック位置へ移動し、ドライバピン９ａとの接触面をプラグ５の外周面４ａに一致させる。同時に他のピン操作部１２が、他のコードピン１１を非ロック位置に移動させて、鍵３によるプラグ５の解錠位置への回転が可能となる。【選択図】図１
2015078550.tif 000002
【特許請求の範囲】
【請求項１】
錠前と、この錠前を施解錠操作するための鍵とからなる錠装置であって、
前記錠前は、半径方向に延びて内周面に開口する複数のドライバピン孔を有する概略円筒形のシリンダケースと；外周面が前記シリンダケースの内周面に摺接するようにシリンダケース内に施錠位置と解錠位置の間を軸周り回転可能に挿入され、前端に開口して軸線方向に延びる鍵挿入空間を形成する鍵穴と、前記ドライバピン孔に対応する位置において外周面から鍵穴に貫通する複数のコードピン孔とを具備するプラグと；前記ドライバピン孔に移動自在に挿入され、前記シリンダケースの内周面の方向に付勢されるドライバピンと；前記コードピン孔に移動自在に挿入されるコードピンと、を具備し、
前記鍵は、前記鍵穴への挿入時に、前記コードピンとドライバピンとの接触面を前記プラグの外周面に一致させるようにコードピンの先端に当接する複数のピン操作部を具備し、
前記プラグの鍵穴は、鍵挿入空間が広い前方部と、この前方部に対して段部を介して鍵挿入空間が狭くなる奥方の狭小部とを具備し
前記プラグの最奥部の一のコードピン孔及びこれに対応する前記シリンダケースの最奥部の一のドライバピン孔は、前記鍵穴の狭小部対応位置に配置され、
前記鍵は、前記鍵穴の前方部に対応する幅広部と狭小部に対応する幅狭部とを有する鍵本体を具備し、
前記鍵の最先端に位置する一の前記ピン操作部は、前記鍵本体の幅狭部に鍵の挿入方向に対して直交方向に出没自在に保持された操作ピンからなり、
前記操作ピンは、前記鍵を前記鍵穴に挿入するとき、鍵穴の前方部の内面には接触せず、狭小部の内面には摺接し、前記最奥部のコードピン孔に合致したとき、先端部が前記鍵本体の狭小部から突出して前記最奥部のコードピンの先端に当接するように付勢されることを特徴とする錠装置。
【請求項２】
前記鍵本体は、所定の厚さと幅を持った板状体で構成され、前記操作ピンは、鍵本体の厚さ部分に幅方向に形成されたピン孔内に、付勢ばねを介して保持されることを特徴とする請求項1に記載の錠装置。
【発明の詳細な説明】
【技術分野】
【０００１】
本発明は、鍵の複製、ピッキング用具による不正解錠が困難で、多数の鍵違いを作成できる錠装置に関するものである。
【背景技術】
【０００２】
シリンダー錠と称される錠装置では、シリンダケースに回転可能にプラグを収容し、シリンダケースとプラグ間に設けたピンタンブラ錠機構によってプラグをシリンダケースに対して回転不能に拘束する。プラグの鍵穴に鍵板を挿入することによって、ピンタンブラ錠機構を拘束解除方向に操作する。このような錠装置は、合い鍵の複製が比較的容易にでき、またピッキング用具を用いたピンタンブラ錠機構の無効化も比較的容易にできるので、不正解錠による被害が跡を絶たない。ピッキングによる不正解錠を困難にする錠装置も種々提案されている（例えば特許文献１）。
【先行技術文献】
【特許文献】
【０００３】
【特許文献１】特開２０００−３５２２２９号公報
【発明の概要】
【発明が解決しようとする課題】
【０００４】
本発明は、鍵の複製、ピッキング用具による不正解錠が困難で、多数の鍵違いを作成できる錠装置を提供することを目的としている。
【課題を解決するための手段】
【０００５】
以下、添付図面の符号を参照して説明するが、本発明はこれに限定されるものではない。
上記課題を解決するための、本発明の錠装置１は、錠前２と、この錠前２を施解錠操作するための鍵３とからなる。錠前２は、概略円筒形のシリンダケース４と、その内側に施錠位置と解錠位置の間を軸周り回転可能に挿入されたプラグ５とを具備する。シリンダケース４は、半径方向に延びて内周面４ａに開口する複数のドライバピン孔６を有する。プラグ５は、前端に開口して軸線方向に延びる鍵挿入空間を形成する鍵穴７と、ドライバピン孔６に対応する位置において外周面５ａから鍵穴７に貫通する複数のコードピン孔８とを具備する。ドライバピン孔６には、ドライバピン９が移動自在に挿入され、シリンダケース４の内周面４ａの方向に付勢される。コードピン孔８には、コードピン１１が移動自在に挿入される。鍵３は、複数のピン操作部１２を具備する。ピン操作部１２は、鍵３を錠前２の鍵穴７への挿入した時、コードピン１１の先端に当接して、コードピン１１とドライバピン９との接触面をプラグ５の外周面５ａに一致させることにより、プラグ５の解錠方向への回転を可能とする。プラグ５の鍵穴７は、鍵挿入空間が広い前方部７ａと、この前方部に対して段部７ｂを介して鍵挿入空間が狭くなる奥方の狭小部７ｃとを具備する。プラグ５の最奥部の一のコードピン孔８ａ及びこれに対応するシリンダケース４の最奥部の一のドライバピン孔６ａは、鍵穴７の狭小部７ｃに対応する位置に配置される。鍵本体１３は、鍵穴７の前方部７ａに対応する幅広部１３ａと、狭小部７ｃに対応する幅狭部１３ｂとを有する。鍵３の最先端に位置するピン操作部１２は、操作ピン１４からなる。操作ピン１４は、鍵本体１３の幅狭部１３ｂに、鍵３の挿入方向に対して直交方向に出没自在に保持され、鍵３を鍵穴７に挿入するとき、鍵穴７の前方部７ａの内面には接触せず、狭小部７ｃの内面には摺接し、最奥部のコードピン孔８ａに合致したとき、先端部が鍵本体１３の幅狭部１３ｂから突出して最奥部のコードピン１１ａの先端に当接するように付勢される。操作ピン１４がコードピン１１ａの先端に当接すると、コードピン１１ａを押して、コードピン１１ａとドライバピン９ａとの接触面をプラグ５の外周面５ａに一致させる。
【発明の効果】
【０００６】
本発明の扉の錠装置１は、鍵本体１３に、コードピン１１ａを操作するための操作ピン１４が組み込まれるため、鍵の複製が困難である。鍵穴７の奥部が狭小で、ピッキング用具による不正解錠が困難である。操作ピン１４とこれに対応するコードピン１１ａの長さ変更により多数の鍵違いを作成できる。操作ピン１４は、鍵穴７の奥部の狭小部７ｃのみに摺接するから、使用による摩耗が少なく、長期使用に耐える。
【図面の簡単な説明】
【０００７】
【図１】錠前から鍵を抜き取った状態の錠装置の断面図である。
【図２】図１の錠装置の解錠操作を順を追って示す断面図である。
【図３】図１の錠装置の解錠操作を順を追って示す断面図である。
【図４】図１の錠装置の解錠操作を順を追って示す断面図である。
【図５】図１の錠装置の解錠操作を順を追って示す断面図である。
【図６】図１の錠装置の解錠操作を順を追って示す断面図である。
【図７】図１のＶＩＩ−ＶＩＩによる鍵の断面図である。
【発明を実施するための形態】
【０００８】
図面を参照して本発明の実施の形態を説明する。
この実施形態のストッパ錠装置１は、錠前２と、この錠前２を施解錠操作するための鍵３とからなる。
【０００９】
錠前２は、概略円筒形のシリンダケース４と、その内側に施錠位置と解錠位置の間を軸周り回転可能に挿入されたプラグ５とを具備する。
【００１０】
シリンダケース４は、半径方向に延びて内周面４ａに開口する複数のドライバピン孔６を有する。
【００１１】
プラグ５は、前端に開口して軸線方向に延び、鍵挿入空間を形成する鍵穴７と、ドライバピン孔６に対応する位置において外周面５ａから鍵穴７に貫通する複数のコードピン孔８とを具備する。
【００１２】
シリンダケース４のドライバピン孔６には、ドライバピン９が移動自在に挿入され、ばね１０により、シリンダケースの内周面４ａの方向に付勢される。
【００１３】
プラグ５のコードピン孔８には、コードピン１１が移動自在に挿入される。
鍵３は、複数のピン操作部１２を具備する。ピン操作部１２は、鍵３を錠前２の鍵穴７への挿入した時、コードピン１１の先端に当接して、これを非ロック位置へ移動させ、コードピン１１とドライバピン９との接触面をプラグの外周面５ａ（シリンダケースの内周面４ａ）に一致させる。これにより、プラグ５の解錠方向への回転を可能とする。
【００１４】
プラグ５の鍵穴７は、鍵挿入空間が広い前方部７ａと、この前方部に対して段部７ｂを介して鍵挿入空間が狭くなる奥方の狭小部７ｃとを具備する。
【００１５】
プラグ５の最奥部の一のコードピン孔８ａ及びこれに対応するシリンダケース４の最奥部の一のドライバピン孔６ａは、鍵穴７の狭小部７ｃに対応する位置に配置される。
【００１６】
鍵３は、鍵本体１３と、操作ピン１４とからなる。鍵本体１３の挿入部は、所定の厚さと幅を持った板状体で構成され、そこにコードピン１１の先端に当接する複数のピン操作部１２が設けられる。操作ピン１４の先端は、複数のピン操作部１２のうちの最先端部に位置する一のピン操作部１２ａを構成する。
【００１７】
鍵本体１３は、鍵穴の前方部７ａに対応する幅広部１３ａと、狭小部７ｃに対応する幅狭部１３ｂとを有する。幅狭部１３ｂの厚さ部分に、幅方向（鍵の挿入方向に対して直交方向）に操作ピン孔１５が形成される。操作ピン１４は、先端が操作ピン孔１５から突出するように、操作ピン孔１５内に付勢ばね１６を介して保持される。
【００１８】
操作ピン１４の先端は、鍵本体の幅広部１３ａの外縁の延長線から突出しない位置にある。したがって、操作ピン１４は、鍵３を鍵穴７に挿入するとき、鍵穴の前方部７ａの内面には接触せず、狭小部７ｃに至って操作ピン孔１５内に押し込まれ、狭小部７ｃの内面に摺接する。そして、操作ピン１４が、最奥部のコードピン孔８ａに合致したとき、その先端部が鍵本体の幅狭部１３ｂから突出して、コードピン１１ａの先端を押圧する。操作ピン１４に押されたコードピン１１ａは、ばね１０を圧縮してドライバピン９ａと共に半径方向外側の非ロック位置へ移動し、ドライバピン９ａとの接触面をプラグ５の外周面４ａに一致させる。
【００１９】
錠装置１は、鍵本体１３に操作ピン１４が組み込まれるため、鍵２の複製が困難である。鍵穴７は前方部７ａが大きいので、鍵３の挿入時に操作ピン１４が障害とならない。操作ピン１４は、鍵穴７の前方部７ａを摺動しないから、使用により摩耗を生じにくい。鍵穴７の奥部が狭小で、ピッキング用具による不正解錠が困難である。操作ピン１４と、これに対応するコードピン１１ａの長さ変更により多数の鍵違いを作成できる。
【符号の説明】
【００２０】
１    錠装置
２    錠前
３    鍵
４    シリンダケース
４ａ  内周面
５    プラグ
５ａ  外周面
６    ドライバピン孔
６ａ  最奥部のドライバピン孔
７    鍵穴
７ａ  前方部
７ｂ  段部
７ｃ  狭小部
８    コードピン孔
８ａ  最奥部のコードピン孔
９    ドライバピン
９ａ  最奥部のドライバピン
１０  ばね
１１  コードピン
１１ａ  最奥部のコードピン
１２  ピン操作部
１２ａ  最先端のピン操作部
１３    鍵本体
１３ａ  幅広部
１３ｂ  幅狭部
１４    操作ピン
１５    操作ピン孔
１６    ばね
【図１】
2015078550.tif 000003
【図２】
2015078550.tif 000004
【図３】
2015078550.tif 000005
【図４】
2015078550.tif 000006
【図５】
2015078550.tif 000007
【図６】
2015078550.tif 000008
【図７】
2015078550.tif 000009
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
錠前と、この錠前を施解錠操作するための鍵とからなる錠装置であって、
前記錠前は、半径方向に延びて内周面に開口する複数のドライバピン孔を有する概略円筒形のシリンダケースと；外周面が前記シリンダケースの内周面に摺接するようにシリンダケース内に施錠位置と解錠位置の間を軸周り回転可能に挿入され、前端に開口して軸線方向に延びる鍵挿入空間を形成する鍵穴と、前記ドライバピン孔に対応する位置において外周面から鍵穴に貫通する複数のコードピン孔とを具備するプラグと；前記ドライバピン孔に移動自在に挿入され、前記シリンダケースの内周面の方向に付勢されるドライバピンと；前記コードピン孔に移動自在に挿入されるコードピンと、を具備し、
前記鍵は、前記鍵穴への挿入時に、前記コードピンとドライバピンとの接触面を前記プラグの外周面に一致させるようにコードピンの先端に当接する複数のピン操作部を具備し、
前記プラグの鍵穴は、鍵挿入空間が広い前方部と、この前方部に対して段部を介して鍵挿入空間が狭くなる奥方の狭小部とを具備し
前記プラグの最奥部の一のコードピン孔及びこれに対応する前記シリンダケースの最奥部の一のドライバピン孔は、前記鍵穴の狭小部対応位置に配置され、
前記鍵は、前記鍵穴の前方部に対応する幅広部と狭小部に対応する幅狭部とを有する鍵本体を具備し、
前記鍵の最先端に位置する一の前記ピン操作部は、前記鍵本体の幅狭部に鍵の挿入方向に対して直交方向に出没自在に保持された操作ピンからなり、
前記操作ピンは、前記鍵を前記鍵穴に挿入するとき、鍵穴の前方部の内面には接触せず、狭小部の内面には摺接し、前記最奥部のコードピン孔に合致したとき、先端部が前記鍵本体の幅狭部から突出して前記最奥部のコードピンの先端に当接するように付勢されることを特徴とする錠装置。
【請求項２】
前記鍵本体は、所定の厚さと幅を持った板状体で構成され、前記操作ピンは、鍵本体の厚さ部分に幅方向に形成されたピン孔内に、付勢ばねを介して保持されることを特徴とする請求項1に記載の錠装置。